(57)【特許請求の範囲】
【請求項１】
舗装面に設置された角形のコンクリート桝の内壁を切断するコンクリート壁面切断装置であって、
前記コンクリート桝の開口部周縁に固定されるフレーム部と、前記フレーム部に配設されカッター本体を水平面内で前記コンクリート桝の内壁に沿って移動させるカッター移動機構と、を備え、前記カッター移動機構が、前記カッター本体を保持するカッター保持部と、前記カッター保持部を前記コンクリート桝の一辺と平行な方向に摺動自在に保持する平行摺動保持部と、前記平行摺動保持部を前記平行摺動保持部の摺動方向と直交方向に摺動自在に保持する直交摺動保持部と、前記カッター保持部に対して操作用ハンドルを鉛直軸回りに回動自在に保持するハンドル回動機構と、を備えたことを特徴とするコンクリート壁面切断装置。
【請求項２】
前記平行摺動保持部が、両端部を前記直交摺動保持部に支持され平行に配設された二本の平行摺動案内軸と、前記カッター保持部に配設され二本の前記平行摺動案内軸にそれぞれ摺動自在に外挿された平行摺動筒部と、を備えたことを特徴とする請求項１に記載のコンクリート壁面切断装置。
【請求項３】
前記直交摺動保持部が、前記平行摺動案内軸と直交して前記フレーム部の両側部に配設された二本の直交摺動案内軸と、二本の前記直交摺動案内軸にそれぞれ摺動自在に外挿された直交摺動筒部により前記平行摺動案内軸の両端部を支持する案内軸支持部と、を備えたことを特徴とする請求項２に記載のコンクリート壁面切断装置。
【請求項４】
前記直交摺動保持部が、前記平行摺動案内軸と直交して前記フレーム部の一側部に配設された一本の直交摺動案内軸と、前記直交摺動案内軸に摺動自在に外挿された直交摺動筒部により前記平行摺動案内軸の一端側を支持する端部支持部と、前記平行摺動案内軸の他端側に配設され前記舗装面に接地する案内輪と、を備えたことを特徴とする請求項２に記載のコンクリート壁面切断装置。
【発明の詳細な説明】
【技術分野】
【０００１】
本発明は、高速道路等の舗装面に設置される角形のコンクリート桝の内壁を切断するコンクリート壁面切断装置に関するものである。
【背景技術】
【０００２】
高速道路等の舗装面には雨水等を集水するための集水桝等のコンクリート桝が設置されており、開口部には格子状に形成されたスチール製等のグレーチング（蓋）が覆設されている。
このコンクリート桝には車両の通行等による経年劣化が発生するが、特に、高速道路等では塩化カルシウム等の融雪剤を散布しているため、融雪剤を含んだ融雪水がコンクリート桝に流れ込むことにより、グレーチングの腐蝕、劣化等が発生し易くなっている。
従って、定期的な交換が必要になるが、従来は、作業者が手持ち式の小型の切断機等でコンクリート桝の内壁に切れ目を入れ、バールや斫り機（コンクリートブレーカー）等を用いて手作業でコンクリート桝の上部を斫って、撤去作業を行っていた。
しかし、周辺にコンクリートの破片が散らばらないように、周囲を囲んで作業を行わなければならず、交通規制も必要となり、大掛かりな作業となっていた。また、手作業でコンクリート桝を斫るには時間がかかり、作業者に負担がかかるだけでなく、交通規制の時間も長くなって交通の妨げになるという問題点があった。
また、コンクリート桝の破断面が不均一になり易く、新たなグレーチングを設置する際の作業性にも欠けるという問題点があった。
さらに、作業後は破片を回収しなければならないが、清掃が不十分で路面に破片が残っていると、交通の妨げや事故の発生等につながるおそれもあるため、清掃作業にも時間がかかり、省力性に欠けるという問題点があった。
これに対し、断面が角形（枡形）の地中構造物を内側から切断するための地中構造物切断装置が提案されている。
（特許文献１）には、枡型の地中構造物の長手方向に渡されるレールと、レール上を水平移動する装置本体と、装置本体から延びる回転刃とを備え、回転刃は、装置本体を中心に揺動自在に動き、且つ揺動面上で伸縮自在とされ、回転刃によって、地中構造物の上端から所定の深さの部分が内面から切断される地中構造物切断装置が開示されている。
【先行技術文献】
【特許文献】
【０００３】
【特許文献１】特開２０１３−１６７０５３号公報
【発明の概要】
【発明が解決しようとする課題】
【０００４】
しかし、上記従来の技術は以下のような課題を有していた。
（１）（特許文献１）は、装置本体がレール上を水平移動すると共に、装置本体を中心に回転刃が揺動することにより、構造物の四辺を切断しようとするものであるが、回転刃の揺動によって切断できる範囲は限られており、角部に大きな切り残しが発生するだけでなく、場所によって切断深さが異なり、切断面が不均一になるため、別途の切断作業等が必要となり、施工性、省力性に欠けるという課題を有していた。
また、ブレードの回転軸と油圧モーターの出力軸が一致しておらず、ブレードが片持ちで支持されているため、切断時に回転刃と共にカッター本体が傾いて回転刃に負荷がかかり易く、切断の効率性に欠けるという課題を有していた。
さらに、ブレードより下方に油圧モーターが設置されているため、油圧モーターと油圧ポンプを接続するホースがブレードに触れないように配置しなければならず、設計自在性、取扱い性に欠けるという課題を有していた。
【０００５】
本発明は上記課題を解決するものであり、簡素な構成で嵩張らず、搬送性、取扱い性に優れ、カッター本体を確実に水平に支持することができ、切断時の回転刃への負荷が少なく、人力でスムーズにカッター本体を移動させて短時間で切断作業を行うことができ、角部の切り残しが少なく、全周を略均一な深さで切断して綺麗な切断面を得ることができ、切断されたコンクリート桝の撤去作業を容易に行うことができ、省力性、施工性に優れるコンクリート壁面切断装置の提供を目的とする。
【課題を解決するための手段及びそれによって得られる作用、効果】
【０００６】
上記課題を解決するために本発明のコンクリート壁面切断装置は、以下の構成を有している。
本発明の請求項１に記載のコンクリート壁面切断装置は、舗装面に設置された角形のコンクリート桝の内壁を切断するコンクリート壁面切断装置であって、前記コンクリート桝の開口部周縁に固定されるフレーム部と、前記フレーム部に配設されカッター本体を水平面内で前記コンクリート桝の内壁に沿って移動させるカッター移動機構と、を備え、前記カッター移動機構が、前記カッター本体を保持するカッター保持部と、前記カッター保持部を前記コンクリート桝の一辺と平行な方向に摺動自在に保持する平行摺動保持部と、前記平行摺動保持部を前記平行摺動保持部の摺動方向と直交方向に摺動自在に保持する直交摺動保持部と、前記カッター保持部に対して操作用ハンドルを鉛直軸回りに回動自在に保持するハンドル回動機構と、を備えた構成を有している。
この構成により、以下のような作用、効果を有する。
（１）フレーム部がコンクリート桝の開口部周縁に固定されることにより、フレーム部が前後左右に移動することがなく、浮き上がりも防止できるので、フレーム部に配設されるカッター移動機構でカッター本体をコンクリート桝の内壁に沿って移動させてコンクリート壁面の切断を行う際に、位置ずれやカッター本体の傾きが発生せず、カッター本体に余計な負荷がかかることがなく、小さな力でスムーズにカッター本体を移動させて、確実に切断作業を行うことができ、施工性、省力性、作業の効率性に優れる。
（２）カッター移動機構が、カッター本体を保持するカッター保持部と、カッター保持部をコンクリート桝の一辺と平行な方向に摺動自在に保持する平行摺動保持部と、平行摺動保持部を平行摺動保持部の摺動方向と直交方向に摺動自在に保持する直交摺動保持部と、を有することにより、平行摺動保持部及び直交摺動保持部でカッター本体を水平面内で前後左右に移動させることができるので、切断深さ（切り込み深さ）を自在に調整できると共に、カッター本体の回転刃をコンクリート壁面に所定の深さで切り込んだ状態で、平行摺動保持部又は直交摺動保持部の摺動方向に沿ってカッター本体を摺動させることにより、コンクリート桝の各辺を一定の切断深さで確実に切断して綺麗な切断面を得ることができ、切断の確実性、安定性に優れる。
（３）カッター移動機構が、カッター保持部に対して操作用ハンドルを鉛直軸回りに回動自在に保持するハンドル回動機構を備えているので、カッター本体の進行方向に応じてハンドル回動機構で操作用ハンドルを回動させて向きを変えることにより、平行摺動保持部又は直交摺動保持部に沿ってカッター保持部と共にカッター本体をスムーズに移動させることができ、コンクリート桝の切断作業の効率性、省力性に優れる。
【０００７】
ここで、フレーム部の材質にはステンレス鋼やアルミニウム、鉄等の金属が好適に用いられる。また、フレーム部の形状はコンクリート桝の形状に合わせて角形の枠状に形成されることが好ましい。
フレーム部はコンクリート桝の開口部周縁に固定されて、前後左右に移動することを防止できるものであればよく、コンクリート桝の受枠等に固定してもよいし、コンクリート桝が設置されている舗装面等に固定してもよい。固定具は適宜、選択することができるが、例えば、Ｌ字型のフック状等に形成されコンクリート桝の開口部周縁に係合するものは、フレーム部に対して進退可能に配設した場合、固定具の当接部をコンクリート桝の内壁面に確実に当接させることができ、固定の安定性、確実性に優れる。その他にも、受枠等の内側面に螺子止め等により固定するものやコンクリート桝の開口部周縁の舗装面等に杭やアンカー等を用いて固定するもの等を用いることができる。尚、固定具はフレーム部に備え付けて一体的に取り扱えるようにしてもよいし、フレーム部と別々に用意して作業時のみ取付けるようにしてもよい。
【０００８】
カッター本体はコンクリートを切断できる回転刃を有するものであればよく、油圧式、電動式、圧搾空気駆動式、高圧水駆動式、エンジン駆動式のもの等を用いることができる。尚、カッター本体を駆動するための油圧パワーユニット、電源、コンプレッサー、加圧送水ユニット、エンジン等はコンクリート壁面切断装置に搭載する必要はなく、使用時にカッター本体と接続すればよいので、コンクリート壁面切断装置を小型化、軽量化することができ、搬送性にも優れる。また、外部への油圧取出しが可能な重機や電気自動車等を利用して、カッター本体に油圧や電力を供給することもできる。
平行摺動保持部及び直交摺動保持部は、それぞれの摺動方向にカッター保持部及び平行摺動保持部を摺動させることができればよく、その構造は適宜、選択することができるが、外形が円形の案内軸に筒状の摺動部を外挿して案内軸に沿って摺動部をスライドさせるものが好適に用いられる。また、レールや溝等に沿って車輪やコロ等を案内して移動させるものを用いてもよい。
尚、カッター移動機構にはカッター保持部を人力で前後左右に移動させるための操作用ハンドルを備えることが好ましいが、特に、カッター保持部の移動方向に合わせて操作用ハンドルの向きを変更できるものは取扱い性に優れる。この場合、操作用ハンドルのみを鉛直軸回りに回転させてもよいし、カッター保持部に対して操作用ハンドルと共にカッター本体を鉛直軸回りに回転させてもよい。また、操作用ハンドルを着脱自在又は折畳み自在とすることにより、収納時や非使用時のコンパクト性、搬送性に優れる。
ここで、ハンドル回動機構はカッター保持部に対して操作用ハンドルを鉛直軸回りに回動自在に保持するものであればよく、その構造は適宜、選択することができるが、カッター保持部に連結されたリング状の支持プレートの外周部をリング状のハンドルベースとベースサポートにより上下から挟持し、ハンドルベースに操作用ハンドルを取付けたもの等が好適に用いられる。カッター保持部に連結された支持プレートに対し、ハンドルベースとベースサポートが回動自在に保持されるので、操作用ハンドルを鉛直軸回りに回動させてカッター保持部の摺動操作を行うことができる。
【０００９】
請求項２に記載の発明は、請求項１に記載のコンクリート壁面切断装置であって、前記平行摺動保持部が、両端部を前記直交摺動保持部に支持され平行に配設された二本の平行摺動案内軸と、前記カッター保持部に配設され二本の前記平行摺動案内軸にそれぞれ摺動自在に外挿された平行摺動筒部と、を備えた構成を有している。
この構成により、請求項１の作用、効果に加え、以下の作用、効果を有する。
（１）平行摺動保持部が、両端部を直交摺動保持部に支持され平行に配設された二本の平行摺動案内軸と、カッター保持部に配設され二本の平行摺動案内軸にそれぞれ摺動自在に外挿された平行摺動筒部と、を有することにより、カッター保持部を水平に保つことができ、摺動時にカッター保持部が斜行することがないので、コンクリート壁面を略一定の深さで切断することができ、切断の確実性に優れる。
（２）平行摺動案内軸に平行摺動筒部が外挿されただけの簡素な構成でカッター保持部を平行摺動案内軸に沿って人力でスムーズに移動させることができ、省力性、量産性に優れる。
【００１０】
ここで、カッター保持部を平行摺動保持部の平行摺動案内軸に沿って移動させて切り込みを行う場合、切り込み深さは人力で適宜、調整することができる。尚、平行摺動案内軸の端部に平行摺動筒部の端面に当接する端部ストッパーを設けることにより、カッター保持部が必要以上に移動することがなく、回転刃がコンクリート桝の外周の土まで侵入することを防止できる。また、必要に応じて、螺子止め等により平行摺動筒部を平行摺動案内軸の所望の位置に固定するストッパーを備えてもよい。例えば、平行摺動保持部を直交摺動保持部で摺動させて切断を行う際に、平行摺動筒部を平行摺動案内軸に固定すれば、カッター保持部が平行摺動案内軸に沿って移動することがなく、略一定の深さで切断を行うことができる。また、コンクリート壁面切断装置の搬送時等にカッター本体が移動することがなく、回転刃の破損等を防ぐことができ、取扱い性に優れる。
【００１１】
請求項３に記載の発明は、請求項２に記載のコンクリート壁面切断装置であって、前記直交摺動保持部が、前記平行摺動案内軸と直交して前記フレーム部の両側部に配設された二本の直交摺動案内軸と、二本の前記直交摺動案内軸にそれぞれ摺動自在に外挿された直交摺動筒部により前記平行摺動案内軸の両端部を支持する案内軸支持部と、を備えた構成を有している。
この構成により、請求項２の作用、効果に加え、以下の作用、効果を有する。
（１）直交摺動保持部が、平行摺動案内軸と直交してフレーム部の両側部に配設された二本の直交摺動案内軸と、二本の直交摺動案内軸にそれぞれ摺動自在に外挿された直交摺動筒部により平行摺動案内軸の両端部を支持する案内軸支持部と、を有するので、平行摺動保持部の摺動方向と直交摺動保持部の摺動方向が直交し、カッター保持部をコンクリート桝の内壁面に沿って前後左右に移動させることができ、カッター保持部が傾いたり、斜行したりすることがなく、コンクリート桝の内壁面の全周を略一定の深さで切断することができ、切断の確実性、施工性に優れる。
（２）直交摺動案内軸に直交摺動筒部が外挿されただけの簡素な構成で平行摺動保持部を直交摺動案内軸に沿って人力でスムーズに移動させることができ、省力性、量産性に優れる。
【００１２】
ここで、平行摺動保持部を直交摺動保持部の直交摺動案内軸に沿って移動させて切り込みを行う場合、切り込み深さは人力で適宜、調整することができる。尚、平行摺動案内軸と同様に直交摺動案内軸の端部にも直交摺動筒部の端面に当接する端部ストッパーを設けることができる。また、必要に応じて、螺子止め等により直交摺動筒部を直交摺動案内軸の所望の位置に固定するストッパーを備えてもよい。例えば、カッター保持部を平行摺動保持部で摺動させて切断を行う際に、直交摺動筒部を直交摺動案内軸に固定すれば、平行摺動保持部が直交摺動案内軸に沿って移動することがなく、略一定の深さで切断を行うことができる。また、コンクリート壁面切断装置の搬送時等にも平行摺動保持部が移動することがなく、回転刃の破損等を防ぐことができ、取扱い性に優れる。
【００１３】
請求項４に記載の発明は、請求項２に記載のコンクリート壁面切断装置であって、前記直交摺動保持部が、前記平行摺動案内軸と直交して前記フレーム部の一側部に配設された一本の直交摺動案内軸と、前記直交摺動案内軸に摺動自在に外挿された直交摺動筒部により前記平行摺動案内軸の一端側を支持する端部支持部と、前記平行摺動案内軸の他端側に配設され前記舗装面に接地する案内輪と、を備えた構成を有している。
この構成により、請求項２の作用、効果に加え、以下の作用、効果を有する。
（１）直交摺動保持部が、平行摺動案内軸と直交してフレーム部の一側部に配設された一本の直交摺動案内軸と、直交摺動案内軸に摺動自在に外挿された直交摺動筒部により平行摺動案内軸の一端側を支持する端部支持部と、平行摺動案内軸の他端側に配設され舗装面に接地する案内輪と、を有することにより、端部支持部と案内輪により平行摺動案内軸の両端部を支持することができるので、平行摺動保持部に保持されたカッター保持部の水平を維持しながら平行摺動保持部を直交摺動案内軸に沿って移動させることができ、省力性、施工性に優れる。
（２）直交摺動保持部が、一本の直交摺動案内軸しか備えていないので、直交摺動保持部の構造を簡素化して、装置全体の小型化、軽量化を図ることができ、取扱い性、搬送性、量産性に優れる。
【００１４】
ここで、案内輪が舗装面に接地し、平行摺動案内軸の他端側を支持しながら回転することにより、平行摺動保持部を直交摺動案内軸に沿って移動させることができる。尚、舗装面に凹凸等がある場合は、案内輪の移動方向に沿って平坦なガイド板等を敷設することにより、平行摺動保持部をスムーズに案内することができる。
【００１５】
【００１６】
【図面の簡単な説明】
【００１７】
【図１】（ａ）実施の形態１のコンクリート壁面切断装置の模式平面図  （ｂ）実施の形態１のコンクリート壁面切断装置の要部断面模式側面図
【図２】（ａ）実施の形態２のコンクリート壁面切断装置の模式平面図  （ｂ）実施の形態２のコンクリート壁面切断装置の要部断面模式側面図
【図３】実施の形態３のコンクリート壁面切断装置の模式平面図
【図４】図３のＡ−Ａ線矢視模式断面図
【図５】図３のＢ−Ｂ線矢視模式断面図
【図６】実施の形態３のコンクリート壁面切断装置のハンドル回動機構を示す要部模式断面図
【発明を実施するための最良の形態】
【００１８】
（実施の形態１）
本発明の実施の形態１におけるコンクリート壁面切断装置について、以下図面を参照しながら説明する。
図１（ａ）は実施の形態１のコンクリート壁面切断装置の模式平面図であり、図１（ｂ）は実施の形態１のコンクリート壁面切断装置の要部断面模式側面図である。
図１中、１は高速道路等の舗装面３０に設置された集水桝等の角形のコンクリート桝３１の内壁の切断に使用される実施の形態１のコンクリート壁面切断装置、２はステンレス鋼等の金属でコンクリート桝３１の開口部３１ａの周縁に載置されるコンクリート壁面切断装置１のフレーム部、２ａはコンクリート桝３１の開口部３１ａの形状に合わせて矩形枠状に形成されたフレーム部２の基板部、２ｂは基板部２ａの外周を囲繞するフレーム部２の周壁部、３はフレーム部２の基板部２ａの各辺に２箇所ずつ進退自在に配設されコンクリート桝３１の開口部３１ａ周縁にフレーム部２を固定する固定具、３ａはＬ字型のフック状に形成されコンクリート桝３１の開口部３１ａ周縁に係合する固定具３の当接部、３ｂは回転により当接部３ａを水平方向に前後動させて当接部３ａをコンクリート桝３１の内壁面に当接させる固定具３の操作部、４はフレーム部２に配設され回転刃２１を有する油圧式のカッター本体２０を水平面内でコンクリート桝３１の内壁に沿って移動させるコンクリート壁面切断装置１のカッター移動機構、５はカッター本体２０を保持するカッター移動機構４のカッター保持部、６はカッター保持部５をコンクリート桝３１の一辺と平行な方向に摺動自在に保持するカッター移動機構４の平行摺動保持部、７は平行摺動保持部６を平行摺動保持部６の摺動方向と直交方向に摺動自在に保持するカッター移動機構４の直交摺動保持部である。
【００１９】
次に、カッター移動機構の詳細について説明する。
図１中、８は両端部が直交摺動保持部７に支持され平行に配設された平行摺動保持部６の二本の平行摺動案内軸、９はカッター保持部５の基部５ａ上に配設され二本の平行摺動案内軸８にそれぞれ摺動自在に外挿された平行摺動保持部６の左右２箇所ずつ計４箇所の平行摺動筒部、９ａは少なくとも１つの平行摺動筒部９に配設され螺子止め等により平行摺動筒部９を平行摺動案内軸８の所望の位置に固定する平行摺動保持部６のストッパー、１０は平行摺動案内軸８と直交してコンクリート桝３１の両外側に配設された直交摺動保持部７の二本の直交摺動案内軸、１１は二本の直交摺動案内軸１０にそれぞれ摺動自在に外挿された前後二箇所ずつ計４箇所の直交摺動筒部１２により二本の平行摺動案内軸８の両端部を支持する直交摺動保持部７の案内軸支持部、１２ａは少なくとも１つの直交摺動筒部１２に配設され螺子止め等により直交摺動筒部１２を直交摺動案内軸１０の所望の位置に固定する直交摺動保持部７のストッパーである。
図１（ｂ）中、５ｂはカッター本体２０を支持するカッター保持部５のカッター支持体、５ｃはカッター支持体５ｂ上に立設された雌螺子部、１３は下端側が雌螺子部５ｃに螺合されたボール螺旋１３ａを回転させることによりカッター支持体５ｂと共にカッター本体２０を上下動させるカッター移動機構４の高さ調整部、１３ｂは手動でボール螺旋１３ａを回転させる高さ調整部１３のハンドル部、１３ｃはカッター支持体５ｂ上に立設されカッター保持部５の基部５ａに対してカッター支持体５ｂを上下方向に摺動自在に案内する摺動案内部、１３ｄは基部５ａ上に立設され高さ調整部１３のボール螺旋１３ａを摺動自在に保持する筒状案内部、１４はカッター移動機構４に配設されカッター本体２０の駆動のオンオフを切替えるスイッチ部である。
尚、説明の都合上、図１（ａ）ではハンドル部１３やスイッチ部１４を省略した。
【００２０】
以上のように構成された実施の形態１のコンクリート壁面切断装置の使用方法について説明する。
まず、図１において、内壁の切断を行うコンクリート桝３１の開口部３１ａの位置に合わせてコンクリート壁面切断装置１を載置する。各々の固定具３の操作部３ｂを回転させてコンクリート桝３１の開口部３１ａ周縁に当接部３ａを係合させフレーム部２を固定する。
次に、高さ調整部１３のハンドル部１３ｂを回転させてコンクリート桝３１を切断する高さまでカッター本体２０の回転刃２１を下降させる。
次に、カッター本体２０のスイッチ部１４をオンにして回転刃２１を回転させながら、カッター保持部５を平行摺動保持部６の平行摺動案内軸８に沿って矢印ａの方向に人手で移動させ、コンクリート桝３１の内壁に所望の深さまで切り込みを入れる。尚、カッター本体２０には別途、油圧パワーユニット（図示せず）をホースで接続して油圧を供給する。
次に、平行摺動保持部６全体を直交摺動保持部７の直交摺動案内軸１０に沿って矢印ｂの方向に人手で移動させることにより、直交摺動案内軸１０と平行にコンクリート桝３１の内壁を切断することができる。このとき、切り込み深さは人力で適宜、調整することができるが、必要に応じてストッパー９ａで平行摺動筒部９を平行摺動案内軸８に固定して切り込み深さを略一定に保つようにしてもよい。
その後は、平行摺動保持部６及び直交摺動保持部７により、順次、カッター本体２０をコンクリート桝３１の各辺に沿って移動させて、コンクリート桝３１の内壁の全周を切断することができる。
切断後は、コンクリート壁面切断装置１を取り外し、切断部をリフターで持ち上げることにより、コンクリート桝３１から分断して撤去することができる。
尚、コンクリート壁面切断装置１を搬送する際に、ストッパー９ａ，１２ａにより、平行摺動筒部９及び直交摺動筒部１２をそれぞれ平行摺動案内軸８及び直交摺動案内軸１０に固定することにより、カッター保持部５が前後左右に移動することがなく、カッター本体２０の回転刃２１の破損等を防ぐことができ、取扱い性、安全性に優れる。
【００２１】
本実施の形態では、固定具３として、Ｌ字型のフック状に形成された当接部材３ａをコンクリート桝３１の開口部３１ａ周縁に係合させることにより、フレーム部２を固定したが、固定具３はこれに限定されるものではなく、フレーム部２をコンクリート桝３１の開口部３１ａ周縁に固定できるものであればよい。例えば、コンクリート桝３１の受枠等の内側面に螺子止め等により固定してもよいし、コンクリート桝３１の開口部３１ａ周縁の舗装面等に杭やアンカー等を用いて固定してもよい。
本実施の形態では、平行摺動筒部９及び直交摺動筒部１２のそれぞれにストッパー９ａ，１２ａを設けたが、ストッパーは平行摺動筒部９及び直交摺動筒部１２の摺動を必要に応じて規制できればよく、平行摺動筒部９及び直交摺動筒部１２と独立させて平行摺動案内軸８及び直交摺動案内軸１０の任意の位置に螺子止め等により取付けてもよい。
また、平行摺動案内軸８及び直交摺動案内軸１０の端部にそれぞれ平行摺動筒部９及び直交摺動筒部１２の端面に当接する端部ストッパーを設けて切断作業時のカッター保持部５の移動範囲を規制し、回転刃２１がコンクリート桝３１の外周の土まで侵入することも防止できる。
【００２２】
以上のように構成された実施の形態１におけるコンクリート壁面切断装置によれば、以下の作用を有する。
（１）フレーム部がコンクリート桝の開口部周縁に固定されることにより、フレーム部が前後左右に移動することがなく、浮き上がりも防止できるので、フレーム部に配設されるカッター移動機構でカッター本体をコンクリート桝の内壁に沿って移動させてコンクリート壁面の切断を行う際に、位置ずれやカッター本体の傾きが発生せず、カッター本体に余計な負荷がかかることがなく、小さな力でスムーズにカッター本体を移動させて、確実に切断作業を行うことができ、施工性、省力性、作業の効率性に優れる。
（２）カッター移動機構が、カッター本体を保持するカッター保持部と、カッター保持部をコンクリート桝の一辺と平行な方向に摺動自在に保持する平行摺動保持部と、平行摺動保持部を平行摺動保持部の摺動方向と直交方向に摺動自在に保持する直交摺動保持部と、を有することにより、平行摺動保持部及び直交摺動保持部でカッター本体を水平面内で前後左右に移動させることができるので、切断深さ（切り込み深さ）を自在に調整できると共に、カッター本体の回転刃をコンクリート壁面に所定の深さで切り込んだ状態で、平行摺動保持部又は直交摺動保持部の摺動方向に沿ってカッター本体を摺動させることにより、コンクリート桝の各辺を一定の切断深さで確実に切断して綺麗な切断面を得ることができ、切断の確実性、安定性に優れる。
（３）平行摺動保持部が、両端部が直交摺動保持部に支持され平行に配設された二本の平行摺動案内軸と、カッター保持部に配設され二本の平行摺動案内軸にそれぞれ摺動自在に外挿された平行摺動筒部と、を有することにより、カッター保持部を水平に保つことができ、摺動時にカッター保持部が斜行することがないので、コンクリート壁面を略一定の深さで切断することができ、切断の確実性に優れる。
（４）平行摺動案内軸に平行摺動筒部が外挿されただけの簡素な構成でカッター保持部を平行摺動案内軸に沿って人力でスムーズに移動させることができ、省力性、量産性に優れる。
（５）直交摺動保持部が、平行摺動案内軸と直交してフレーム部の両側部に配設された二本の直交摺動案内軸と、二本の直交摺動案内軸にそれぞれ摺動自在に外挿された直交摺動筒部により平行摺動案内軸の両端部を支持する案内軸支持部と、を有するので、平行摺動保持部の摺動方向と直交摺動保持部の摺動方向が直交し、カッター保持部をコンクリート桝の内壁面に沿って前後左右に移動させることができ、カッター保持部が傾いたり、斜行したりすることがなく、コンクリート桝の内壁面の全周を略一定の深さで切断することができ、切断の確実性、施工性に優れる。
（６）直交摺動案内軸に直交摺動筒部が外挿されただけの簡素な構成で平行摺動保持部を直交摺動案内軸に沿って人力でスムーズに移動させることができ、省力性、量産性に優れる。
【００２３】
（実施の形態２）
実施の形態２におけるコンクリート壁面切断装置について説明する。尚、実施の形態１と同様のものは同一の符号を付して説明を省略する。
図２（ａ）は実施の形態２のコンクリート壁面切断装置の模式平面図であり、図２（ｂ）は実施の形態２のコンクリート壁面切断装置の要部断面模式側面図である。
図２において、実施の形態２におけるコンクリート壁面切断装置１Ａが実施の形態１と異なるのは、フレーム部２Ａがコンクリート桝３１の開口部３１ａの一辺に沿って直線状に形成されている点と、固定具３Ａとしてフレーム部２Ａの基板部２ａから延設されてコンクリート桝３１の開口部３１ａの内側面に係合しアングル等で形成された突っ張り材３ｄの端部に螺着された押圧螺旋３ｅで押圧される２箇所の当接固定部３ｃ及び基板部２ａから外側に延設され固定孔に杭３ｇが打ち込まれて舗装面３０に固定される３箇所の舗装面固定部３ｆを備えている点と、直交摺動保持部７Ａが平行摺動案内軸８と直交してコンクリート桝３１の外側に配設された一本の直交摺動案内軸１０しか備えておらず、平行摺動保持部６Ａの平行摺動案内軸８の一端側が直交摺動筒部１２を有する直交摺動保持部７Ａの端部支持部１１ａで支持され、平行摺動案内軸８の他端側を連結する連結部１１ｂからコンクリート桝３１の外側に延設された延設部１１ｃに舗装面３０に接地する案内輪１１ｄが配設されている点である。
【００２４】
以上のように構成された実施の形態２のコンクリート壁面切断装置の使用方法について説明する。
まず、図２において、内壁の切断を行うコンクリート桝３１の開口部３１ａのいずれか一辺の位置に合わせてコンクリート壁面切断装置１Ａのフレーム部２Ａを載置する。
次に、フレーム部２Ａの基板部２ａと直交するコンクリート桝３１の開口部３１ａの二辺上に押圧螺旋３ｅが螺着された突っ張り材３ｄを設置し、押圧螺旋３ｅを回して先端部で当接固定部３ｃをコンクリート桝３１の内壁面側に押圧する。また、舗装面固定部３ｆの固定孔から舗装面３０に杭３ｇを打ち込む。以上のようにしてコンクリート壁面切断装置１Ａのフレーム部２Ａをコンクリート桝３１の開口部３１ａ周縁に固定する。
次に、高さ調整部１３のハンドル部１３ｂを回転させてコンクリート桝３１を切断する高さまでカッター本体２０の回転刃２１を下降させる。
次に、カッター本体２０のスイッチ部１４をオンにして回転刃２１を回転させながら、カッター保持部５を平行摺動保持部６Ａの平行摺動案内軸８に沿って矢印ｃの方向に人手で移動させ、コンクリート桝３１の内壁に所望の深さまで切り込みを入れる。
次に、平行摺動保持部６Ａ全体を直交摺動保持部７Ａの直交摺動案内軸１０に沿って矢印ｄの方向に人手で移動させる。このとき、平行摺動保持部６Ａの平行摺動案内軸８の他端側は舗装面３０に接地した案内輪１１ｄで支持されており、案内輪１１ｄが回転することにより、平行摺動保持部６Ａを直交摺動案内軸１０と平行に移動させてコンクリート桝３１の内壁を切断することができる。尚、舗装面３０に凹凸等がある場合は、案内輪１１ｄの移動方向に沿って平坦なガイド板等を敷設することにより、平行摺動保持部６Ａをスムーズに案内することができる。
その後は、コンクリート壁面切断装置１Ａのフレーム部２Ａをコンクリート桝３１の開口部３１ａの各辺の位置に合わせて移動させ、上記の動作を繰り返してコンクリート桝３１の各辺を一辺ずつ切断することができる。
その他については実施の形態１と同様なので説明を省略する。
【００２５】
尚、舗装面固定部３ｆの数や配置は、適宜、選択することができる。
また、本実施の形態では、固定具３Ａとして当接固定部３ｃを螺子止めして固定する方式と舗装面固定部３ｆを杭打ちして固定する方式を説明したが、固定具はフレーム部２Ａの前後左右の移動を防止できるものであればよく、両方の方式を併用する必要はなく、いずれか一方のみの方式で固定してもよいし、その他の方式を適宜、組合せて使用してもよい。例えば、舗装面固定部３ｆを杭打ちして固定する方式と、実施の形態１の摺動式の当接部３ａを螺子止めして固定する方式を組合せることもできる。
【００２６】
以上のように構成された実施の形態２におけるコンクリート壁面切断装置によれば、実施の形態１の（１）乃至（４），（６）で得られる作用と同様の作用に加え、以下の作用が得られる。
（１）直交摺動保持部が、平行摺動案内軸と直交してフレーム部の一側部に配設された一本の直交摺動案内軸と、直交摺動案内軸に摺動自在に外挿された直交摺動筒部により平行摺動案内軸の一端側を支持する端部支持部と、平行摺動案内軸の他端側に配設され舗装面に接地する案内輪と、を有することにより、端部支持部と案内輪により平行摺動案内軸の両端部を支持することができるので、平行摺動保持部に保持されたカッター保持部の水平を維持しながら平行摺動保持部を直交摺動案内軸に沿って移動させることができ、省力性、施工性に優れる。
（２）直交摺動保持部が、一本の直交摺動案内軸しか備えていないので、直交摺動保持部の構造を簡素化して、装置全体の小型化、軽量化を図ることができ、取扱い性、搬送性、量産性に優れる。
【００２７】
（実施の形態３）
実施の形態３におけるコンクリート壁面切断装置について説明する。尚、実施の形態１又は２と同様のものは同一の符号を付して説明を省略する。
図３は実施の形態３のコンクリート壁面切断装置の模式平面図であり、図４は図３のＡ−Ａ線矢視模式断面図であり、図５は図３のＢ−Ｂ線矢視模式断面図である。尚、説明の都合上、図５ではカッター移動機構４Ｂを省略している。
図３乃至図５において、実施の形態３のコンクリート壁面切断装置１Ｂが実施の形態１と異なるのは、フレーム部２の上面の４箇所にコンクリート壁面切断装置１Ｂを吊上げて運搬するためのシャックルやアイボルト等の吊り具２ｃが取付けられている点と、フレーム部２と別々に用意した固定具３Ｂをフレーム部２の底部の隙間に通してコンクリート桝３１の開口部３１ａ周縁に固定している点である。
フレーム部２に吊り具２ｃが取付けられていることにより、コンクリート壁面切断装置１Ｂを容易に吊上げて運搬や設置作業を行うことができ、搬送性に優れる。
また、固定具３Ｂをフレーム部２と別々に用意して作業時のみ取付けることができるので、運搬時や収納時に余計な出っ張りがなく、省スペース性、取扱い性に優れる。
【００２８】
次に、図３及び図４において、実施の形態３のコンクリート壁面切断装置１Ｂにおけるカッター移動機構４Ｂが実施の形態１と異なるのは、カッター保持部５Ａの基部５ａが平行摺動保持部６の上面側に配置され、高さ調整部１３とスイッチ部１４の配置が異なっている点と、カッター保持部５Ａに対して操作用ハンドル１６を鉛直軸回りに回動自在に保持するハンドル回動機構１５を備えている点と、操作用ハンドル１６の進行方向側の先端部に円弧状に形成され回転刃２１の先端位置を示す表示板１７を備えている点である。
尚、図３及び図４中、１６ａはハンドル回動機構１５に固定された操作用ハンドル１６のハンドル固定部、１６ｂはハンドル固定部１６ａの後端部に配設され略コ字形に形成されたハンドル本体１６ｃの下端部と連結されてハンドル本体１６ｃを折り畳み自在に保持するハンドル保持部、２０ａはカッター本体２０に油圧を供給するための油圧供給配管である。
カッター移動機構４Ｂが、カッター保持部５Ａに対して操作用ハンドル１６を鉛直軸回りに回動自在に保持するハンドル回動機構１５を備えているので、カッター本体２０の進行方向に合わせて操作用ハンドル１６の向きを容易に変えることができ、カッター保持部５Ａを平行摺動保持部６又は直交摺動保持部７に沿ってスムーズに移動させることができる。尚、ハンドル本体１６ｃの下端部がハンドル保持部１６ｂによって折り畳み自在に保持されているので、運搬時や収納時にはハンドル本体１６ｃを折り畳むことができ、ハンドル本体１６ｃが邪魔にならず、コンパクト性に優れる。
また、操作用ハンドル１６の進行方向側の先端部に円弧状に形成され回転刃２１の先端位置を示す表示板１７を有するので、操作用ハンドル１６によりカッター保持部５Ａを移動させる際に、表示板１７によって回転刃２１の先端位置を確認しながら作業を行うことができ、回転刃２１を切り込み過ぎることがなく、安全性、施工性に優れる。
尚、高さ調整部１３とスイッチ部１４の配置は適宜、選択することができる。
【００２９】
次に、図３及び図５において、実施の形態３のコンクリート壁面切断装置１Ｂが実施の形態１と異なるのは、フレーム部２の一側部にフレーム部２の高さ（傾き）を調整するためのジャッキを用いた２箇所のフレーム高さ調整部１８を備えている点である。
フレーム高さ調整部１８でフレーム部２の高さ（傾き）を調整することにより、コンクリート桝３１の内壁を水平に切断することができ、施工性に優れる。
【００３０】
次に、実施の形態３のコンクリート壁面切断装置のハンドル回動機構の詳細について説明する。
図６は実施の形態３のコンクリート壁面切断装置のハンドル回動機構を示す要部模式断面図である。
図６中、１５ａはカッター保持部５Ａの基部５ａの上面に円周状に立設され固定ボルト１９ａで螺子止め固定されたハンドル回動機構１５の８本のロッド部、１５ｂはリング状に形成されロッド部１５ａの上端部に固定螺旋１９ｂで固定され基部５ａと連結されたハンドル回動機構１５の支持プレート、１５ｃはリング状に形成され支持プレート１５ｂの上面側に配設されたハンドル回動機構１５のハンドルベース、１５ｄは断面Ｌ字形のリング状に形成され支持プレート１５ｂの底部外周に配設されて固定ボルト１９ｃでハンドルベース１５ｃに螺子止め固定されることにより支持プレート１５ｂを挟持するハンドル回動機構１５のベースサポート、１９ｄはハンドルベース１５ｃの上面に操作用ハンドル１６のハンドル固定部１６ａを螺子止め固定する固定螺旋である。
カッター保持部５Ａの基部５ａに連結された支持プレート１５ｂの外周部をハンドルベース１５ｃとベースサポート１５ｄにより上下から挟持することにより、支持プレート１５ｂに対して、ハンドルベース１５ｃとベースサポート１５ｄが回動自在に保持されるので、カッター保持部５Ａに対して操作用ハンドル１６を鉛直軸回りに回動させてカッター保持部５Ａの前後左右への摺動操作を行うことができる。
【００３１】
以上のように構成された実施の形態３のコンクリート壁面切断装置の使用方法は、カッター保持部５Ａを移動させる際に、カッター本体２０の進行方向に合わせて操作用ハンドル１６を回動させる以外は実施の形態１と同様なので、説明を省略する。
尚、本実施の形態では、カッター保持部５Ａに対して操作用ハンドル１６のみを鉛直軸回りに回動させる構造としたが、操作用ハンドル１６とカッター本体２０を連結し、カッター保持部５Ａに対して操作用ハンドル１６と共にカッター本体２０を鉛直軸回りに回転させる構造とすることもできる。
【００３２】
以上のように構成された実施の形態３におけるコンクリート壁面切断装置によれば、実施の形態１で得られる作用と同様の作用に加え、以下の作用を有する。
（１）カッター移動機構が、カッター保持部に対して操作用ハンドルを鉛直軸回りに回動自在に保持するハンドル回動機構を備えているので、カッター本体の進行方向に応じてハンドル回動機構で操作用ハンドルを回動させて向きを変えることにより、平行摺動保持部又は直交摺動保持部に沿ってカッター保持部と共にカッター本体をスムーズに移動させることができ、コンクリート桝の切断作業の効率性、省力性に優れる。
【産業上の利用可能性】
【００３３】
本発明は、簡素な構成で嵩張らず、搬送性、取扱い性に優れ、カッター本体を確実に水平に支持することができ、切断時の回転刃への負荷が少なく、人力でスムーズにカッター本体を移動させて短時間で切断作業を行うことができ、角部の切り残しが少なく、全周を略均一な深さで切断して綺麗な切断面を得ることができ、切断されたコンクリート桝の撤去作業を容易に行うことができ、省力性、施工性に優れるコンクリート壁面切断装置の提供を行い、高速道路等の舗装面における集水桝等のコンクリート桝のメンテナンス性の向上に貢献することができる。
【符号の説明】
【００３４】
１，１Ａ，１Ｂ  コンクリート壁面切断装置
２，２Ａ  フレーム部
２ａ  基板部
２ｂ  周壁部
２ｃ  吊り具
３，３Ａ，３Ｂ  固定具
３ａ  当接部
３ｂ  操作部
３ｃ  当接固定部
３ｄ  突っ張り材
３ｅ  押圧螺旋
３ｆ  舗装面固定部
３ｇ  杭
４，４Ａ，４Ｂ  カッター移動機構
５，５Ａ  カッター保持部
５ａ  基部
５ｂ  カッター支持体
５ｃ  雌螺子部
６，６Ａ  平行摺動保持部
７，７Ａ  直交摺動保持部
８  平行摺動案内軸
９  平行摺動筒部
９ａ  ストッパー
１０  直交摺動案内軸
１１  案内軸支持部
１１ａ  端部支持部
１１ｂ  連結部
１１ｃ  延設部
１１ｄ  案内輪
１２  直交摺動筒部
１２ａ  ストッパー
１３  高さ調整部
１３ａ  ボール螺旋
１３ｂ  ハンドル部
１３ｃ  摺動案内部
１３ｄ  筒状案内部
１４  スイッチ部
１５  ハンドル回動機構
１５ａ  ロッド部
１５ｂ  支持プレート
１５ｃ  ハンドルベース
１５ｄ  ベースサポート
１６  操作用ハンドル
１６ａ  ハンドル固定部
１６ｂ  ハンドル保持部
１６ｃ  ハンドル本体
１７  表示板
１８  フレーム高さ調整部
１９ａ，１９ｃ  固定ボルト
１９ｂ  固定螺旋
１９ｄ  固定螺旋
２０  カッター本体
２０ａ  油圧供給配管
２１  回転刃
３０  舗装面
３１  コンクリート桝
３１ａ  開口部
【図１】
0006270881.tif 000002
【図２】
0006270881.tif 000003
【図３】
0006270881.tif 000004
【図４】
0006270881.tif 000005
【図５】
0006270881.tif 000006
【図６】
0006270881.tif 000007